(57)【要約】【課題】消費者の好みや室内空間の雰囲気に合わせて多様な製品のデザインを選択可能な容器入り製品を提供する。【解決手段】容器に製剤を封入した容器入り製品１００であって、製品表示情報が印刷された容器本体１０と、容器本体１０を被覆するフィルム２０とを備え、フィルム２０は、夫々に異なる広告情報２３Ａ及び２３Ｂが印刷されている複数の層２１、２２を有する。【選択図】図２
2020075740.tif 000002
【特許請求の範囲】
【請求項１】
容器に製剤を封入した容器入り製品であって、
製品表示情報が印刷された容器本体と、
前記容器本体を被覆するフィルムと、
を備え、
前記フィルムは、夫々に異なる広告情報が印刷されている複数の層を有する容器入り製品。
【請求項２】
前記フィルムは、前記複数の層が剥離可能に構成されている請求項１に記載の容器入り製品。
【請求項３】
前記フィルムは、前記複数の層の表層を剥離させるためのタブ部を有する請求項２に記載の容器入り製品。
【請求項４】
前記複数の層の互いに重なる位置に、前記製品表示情報を視認可能な透過領域が設けられている請求項１〜３の何れか一項に記載の容器入り製品。
【請求項５】
前記複数の層の夫々に、前記製品表示情報が印刷されている請求項１〜３の何れか一項に記載の容器入り製品。
【請求項６】
前記複数の層の表層に印刷された広告情報は、害虫の図柄を含み、
前記容器本体には、前記害虫の図柄が印刷されていない、又は前記表層における前記害虫の図柄よりも視認性を抑えた害虫の図柄が印刷されている請求項１〜５の何れか一項に記載の容器入り製品。
【請求項７】
前記複数の層において前記表層よりも前記容器本体側に配された内側層に印刷された広告情報は、前記害虫の図柄を含まない、又は前記表層における前記害虫の図柄よりも視認性を抑えた害虫の図柄を含む請求項６に記載の容器入り製品。
【請求項８】
前記フィルムは、前記内側層を二層以上有する請求項７に記載の容器入り製品。
【発明の詳細な説明】
【技術分野】
【０００１】
本発明は、容器に製剤を封入した容器入り製品に関する。
【背景技術】
【０００２】
エアゾール製品、スプレー製品、ボトル製品、缶製品などの容器入り製品は、スーパーマーケットやドラッグストア等の店頭では、消費者の注目を惹くように派手で目立つデザインとすることが望ましい場合がある。それと同時に、容器入り製品には、成分、使用方法、使用上の注意などの必要な情報を常に表示しておく必要がある。
【０００３】
従来の容器入り製品として、表面がシュリンクフィルムで覆われた缶があった（例えば、特許文献１を参照）。特許文献１に記載されている缶は、その表面に色や絵柄が付されているものであるが、開封前は缶表面がシュリンクフィルムで覆われているため、色や絵柄は隠れて見えないようになっている。そして、使用者がシュリンクフィルムを破ると、缶表面の色や絵柄が露出する。
【先行技術文献】
【特許文献】
【０００４】
【特許文献１】特開平３−１７６３６０号公報
【発明の概要】
【発明が解決しようとする課題】
【０００５】
エアゾール製品、スプレー製品、ボトル製品、缶製品などの容器入り製品は、室内で使用されることが多いため、室内空間に置いたときに違和感のないデザインが好まれる傾向がある。
【０００６】
この点に関し、特許文献１の包装缶は、缶を覆っているシュリンクフィルムを剥がせば、缶に付されている色や絵柄が露出し、缶のデザインを変更することができる。しかし、消費者の嗜好や、容器入り製品のデザインを合わせたい室内空間の雰囲気には様々なものがあり、シュリンクフィルムのデザインと缶のデザインとの二種類だけではなく、より多様なデザインを選択したいという要望がある。
【０００７】
本発明は、上記問題点に鑑みてなされたものであり、消費者の好みや室内空間の雰囲気に合わせて多様な製品のデザインを選択可能な容器入り製品を提供することを目的とする。
【課題を解決するための手段】
【０００８】
上記課題を解決するための本発明に係る容器入り製品の特徴構成は、
容器に製剤を封入した容器入り製品であって、
製品表示情報が印刷された容器本体と、
前記容器本体を被覆するフィルムと、
を備え、
前記フィルムは、夫々に異なる広告情報が印刷されている複数の層を有することにある。
【０００９】
本構成の容器入り製品によれば、製品の販売時においては、フィルムに印刷されている広告情報により消費者の注目を惹くことができる。一方、室内での製品の保管時や使用時においては、消費者は、フィルムの複数の層に印刷されている様々な広告情報や容器本体に印刷されてる製品表示情報から、好みや室内空間の雰囲気に応じた多様なデザインを選択することができる。
【００１０】
本発明に係る容器入り製品において、
前記フィルムは、前記複数の層が剥離可能に構成されていることが好ましい。
【００１１】
本構成の容器入り製品によれば、複数の層が剥離可能に構成されていることにより、消費者は、各層を剥離させることで製品のデザインを選択することができる。
【００１２】
本発明に係る容器入り製品において、
前記フィルムは、前記複数の層の表層を剥離させるためのタブ部を有することが好ましい。
【００１３】
本構成の容器入り製品によれば、複数の層の表層を剥離させるためのタブ部を有することにより、表層を容易に剥離させることができる。
【００１４】
本発明に係る容器入り製品において、
前記複数の層の互いに重なる位置に、前記製品表示情報を視認可能な透過領域が設けられていることが好ましい。
【００１５】
本構成の容器入り製品によれば、消費者は、容器本体に印刷されている製品表示情報をフィルムに設けられている透過領域を介して視認することができる。一方、製品の使用時において、好みや室内空間の雰囲気に応じてフィルムを剥離することで容器のデザインを選択した場合にも、製品表示情報は容器本体側に印刷されているため、フィルムの剥離とともに消失することがなく、常に表示しておくことができる。
【００１６】
本発明に係る容器入り製品において、
前記複数の層の夫々に、前記製品表示情報が印刷されていることが好ましい。
【００１７】
本構成の容器入り製品によれば、フィルムに広告情報と製品表示情報とが印刷されているため、製品の販売時に容器本体の全体がフィルムで覆われていても、広告情報により消費者の注目を惹くことができるとともに、製品表示情報についても視認することができる。
【００１８】
本発明に係る容器入り製品において、
前記複数の層の表層に印刷された広告情報は、害虫の図柄を含み、
前記容器本体には、前記害虫の図柄が印刷されていない、又は前記表層における前記害虫の図柄よりも視認性を抑えた害虫の図柄が印刷されていることが好ましい。
【００１９】
容器本体に製剤として殺虫剤、防虫剤、忌避剤等を封入した殺虫製品では、販売時に消費者が防除対象の害虫を容易に確認できるように、防除対象の害虫の図柄を広告情報としてフィルムに印刷しておくことが好ましいが、室内空間に置いたときには防除対象の害虫を強く想起させるデザインが忌避される場面もある。本構成の容器入り製品によれば、複数の層の表層に印刷された広告情報が害虫の図柄を含むことにより、容器本体に製剤として殺虫剤、防虫剤、忌避剤等を封入した殺虫製品の販売時においては、フィルムの表層に印刷されている害虫の図柄により防除対象の害虫を容易に確認することができる。一方、室内での製品の保管時や使用時においては、消費者は、好みや室内空間の雰囲気に応じてフィルムを除去することで容器のデザインを選択することができる。その際、容器本体には、害虫の図柄が印刷されていない、又は表層における害虫の図柄よりも視認性を抑えた害虫の図柄が印刷されているため、室内ではフィルムを除去しておくことで、消費者に嫌悪感を与え難くすることができる。
【００２０】
本発明に係る容器入り製品において、
前記複数の層において前記表層よりも前記容器本体側に配された内側層に印刷された広告情報は、前記害虫の図柄を含まない、又は前記表層における前記害虫の図柄よりも視認性を抑えた害虫の図柄を含むことが好ましい。
【００２１】
本構成の容器入り製品によれば、表層よりも容器本体側に配された内側層に印刷された広告情報には、害虫の図柄が印刷されていない、又は表層における害虫の図柄よりも視認性を抑えた害虫の図柄が印刷されているため、室内では表層を除去しておくことで、消費者に嫌悪感を与え難くすることができる。
【００２２】
本発明に係る容器入り製品において、
前記フィルムは、前記内側層を二層以上有することが好ましい。
【００２３】
本構成の容器入り製品によれば、内側層を二層以上有することにより、消費者は、表層、二層以上の内側層の夫々に印刷された異なる広告情報、及び容器本体に印刷されてる製品表示情報から、より多様なデザインを選択することができる。
【図面の簡単な説明】
【００２４】
【図１】図１は、本発明に係る容器入り製品の斜視図である。
【図２】図２は、容器入り製品の側面の分解展開図である。
【図３】図３は、構成例１に係る殺虫エアゾール製品の側面の分解展開図である。
【図４】図４は、構成例２に係る殺虫エアゾール製品の側面の分解展開図である。
【図５】図５は、構成例３に係る殺虫エアゾール製品の側面の分解展開図である。
【図６】図６は、構成例４に係る殺虫エアゾール製品の側面の分解展開図である。
【図７】図７は、構成例５に係る殺虫エアゾール製品の側面の分解展開図である。
【発明を実施するための形態】
【００２５】
以下、本発明の容器入り製品に関する実施形態について説明する。ただし、本発明は、以下に説明する実施形態や図面に記載される構成に限定されることを意図しない。
【００２６】
＜容器入り製品＞
図１は、本発明に係る容器入り製品の斜視図である。図２は、容器入り製品の側面の分解展開図である。本発明の容器入り製品は、例えば、エアゾール製品、スプレー製品、ボトル製品、缶製品などが挙げられるが、図１では、容器入り製品として、ゴキブリ用の殺虫エアゾール製品１００を例示している。殺虫エアゾール製品１００は、製剤としてその内部に封入された殺虫剤、防虫剤、及び忌避剤等の害虫防除製剤を噴射剤とともに害虫に向けて噴射することで害虫を殺虫するものであり、容器本体であるエアゾール缶１０と、エアゾール缶１０の表面を被覆する包材であるフィルム２０とを備える。
【００２７】
〔容器本体〕
容器本体であるエアゾール缶１０は、製剤が貯留される貯留部としての耐圧容器１０ａと、製剤を放出する放出部としての噴射ボタン１０ｂとを備える。図２に示すように、エアゾール缶１０（耐圧容器１０ａ）には、製品表示情報１１が印刷されている。製品表示情報１１とは、商品名、当該製品の特長、成分、効能、使用方法、使用上の注意、製造者情報、製品識別情報（バーコード、ＱＲコード（登録商標）等）などの情報である。製品表示情報１１は、当該製品の購入者が必要とする情報であるため、常に視認可能な状態とされている。製品表示情報１１は、図２に示すように、エアゾール缶１０の高さ方向に延伸する垂線Ｙに沿うように印刷されていることが好ましい。これは、後述するフィルム２０の位置合わせを容易にするためである。
【００２８】
エアゾール缶１０において、製品表示情報１１が印刷されていない領域には図柄等表示情報１２が印刷されている。図柄等表示情報１２には、主に図柄や模様に関する情報（本実施形態の場合、ジグザグ状の幾何学模様）が含まれているが、図柄や模様以外に文字などの情報（本実施形態の場合、製造者情報）が含まれていてもよい。図柄等表示情報１２は、室内空間の雰囲気を乱さないように落ち着いたデザインに構成されることが好ましい。
【００２９】
〔フィルム〕
フィルム２０は、エアゾール缶１０を被覆する包材であり、例えば、エアゾール缶１０に被せた状態で加熱すると、フィルム全体が収縮してエアゾール缶１０の表面に密着するシュリンクフィルムを使用することができる。フィルム２０の素材としては、ポリスチレン（ＰＳ）、ポリ塩化ビニル（ＰＶＣ）、ポリエチレン（ＰＥ）、ポリエチレンテレフタレート（ＰＥＴ）、ポリプロピレン（ＰＰ）などの熱可塑性樹脂が用いられる。
【００３０】
図２に示すように、フィルム２０は、表層となる第一層２１と、第一層２１よりもエアゾール缶１０側に配された内側層となる第二層２２とを有する。フィルム２０としてシュリンクフィルムを用いる場合、第一層２１と第二層２２とは、二枚のフィルムをエアゾール缶１０に被せた状態で一度に加熱してエアゾール缶１０の表面に密着させたものであるが、個別に剥離可能に構成されている。なお、フィルム２０は、加熱によって収縮させることでエアゾール缶１０の表面に密着させる代わりに、再剥離性粘着剤を用いて貼り付けることも可能である。この場合、再剥離性粘着剤を介して二枚のフィルムを予め積層しておいたものを、エアゾール缶１０の表面に一度に貼り付けてもよいし、あるいは、エアゾール缶１０の表面に第一層２１となるフィルムを貼り付けた後、その上に第二層２２となるフィルムを貼り付けてもよい。何れの場合にも、第一層２１と第二層２２とは個別に剥離可能に構成される。
【００３１】
第一層２１には、防除対処の害虫であるゴキブリの図柄を含む広告情報２３Ａが印刷されている。広告情報２３Ａとは、当該製品の販売時に消費者の注目を惹かせるための情報であり、ゴキブリの図柄の他に、商品名、図柄、模様などの情報が含まれる。広告情報２３Ａには、これらの情報の他に、エアゾール缶１０に印刷されている製品表示情報１１と同じ情報（すなわち、商品名、製品の特長、成分、効能、使用方法、使用上の注意、製造者情報、製品識別情報など）が含まれていてもよい。なお、第一層２１の広告情報２３Ａが印刷されている領域は、図柄や模様等が全体に印刷されている場合は不透明となるが、当該領域の一部に印刷を行うことで透明ないし半透明の領域を残しておくことも可能である。第一層２１には、第一層２１を剥離させるためのタブ部２５、及びミシン目２６が形成されている。タブ部２５は、消費者がつまんで引きやすいように、第一層２１の下端に形成されており、第一層２１を剥離させるきっかけとなる。これにより、第一層２１を容易に剥離させることができる。
【００３２】
第二層２２には、広告情報２３Ａに含まれるゴキブリの図柄よりも視認性を抑えるために、広告情報２３Ａに含まれるゴキブリの図柄よりも小さいサイズに構成されているゴキブリの図柄を含む広告情報２３Ｂが印刷されている。ここで、視認性を抑えるためには、広告情報２３Ｂに含まれるゴキブリの図柄は、広告情報２３Ａに含まれるゴキブリの図柄に対して面積比で２５％以下のサイズとすることが好ましい。なお、第二層２２に印刷されている広告情報２３Ｂにおいて、害虫の図柄の視認性を抑えるためには、広告情報２３Ａに含まれる害虫の図柄よりも彩度を抑えた害虫の図柄を用いてもよい。
【００３３】
第一層２１において広告情報２３Ａが印刷されていない領域、及び第二層２２において広告情報２３Ｂが印刷されていない領域は、透明ないし半透明な透過領域２４Ａ、２４Ｂとして形成されている。透過領域２４Ａ、２４Ｂは、エアゾール缶１０の表面がフィルム２０で被覆されている状態で、当該フィルム２０を通してエアゾール缶１０側に印刷されている製品表示情報１１を視認できる位置に設けられる。このような形態でフィルム２０に透過領域２４を設ければ、エアゾール缶１０の製品表示情報１１を確実に視認することができる。
【００３４】
第一層２１の透過領域２４Ａ、及び第二層２２の透過領域２４Ｂは、エアゾール缶１０の製品表示情報１１が印刷されている領域よりも大きく構成することも可能である。例えば、図２において、透過領域２４Ａの幅Ｄ１、及び透過領域２４Ｂの幅Ｄ２を、エアゾール缶１０の製品表示情報１１の幅Ｄ３より若干大きく構成すると、エアゾール缶１０をフィルム２０で被覆するときに多少の位置ずれが生じても、エアゾール缶１０側の製品表示情報１１を第一層２１の透過領域２４Ａ、及び第二層２２の透過領域２４Ｂを介して確実に視認することができる。また、透過領域２４Ａの幅Ｄ１を最も大きくし、透過領域２４Ｂの幅Ｄ２を中間の大きさとし、表示情報１１の幅Ｄ３を最も小さくしても構わない。
【００３５】
＜構成例＞
次に、本発明の容器入り製品の構成例を説明する。なお、これらの構成例は、図１及び図２に示した殺虫エアゾール製品１００の構成に基づくものであるが、スプレー製品、ボトル製品、缶製品などの他の製品においても適用可能である。
【００３６】
〔構成例１〕
図３は、構成例１に係る殺虫エアゾール製品の側面の分解展開図である。構成例１では、フィルム２０の第一層２１に印刷されている広告情報２３Ａには、害虫であるゴキブリの図柄、並びに商品名及び製造者情報が含まれている。フィルム２０の第二層２２に印刷されている広告情報２３Ｂには、ゴキブリの図柄及び水玉柄の模様、並びに商品名及び製造者情報が含まれている。ここで、広告情報２３Ｂに含まれるゴキブリの図柄は、広告情報２３Ａに含まれるゴキブリの図柄よりも視認性を抑えるために、広告情報２３Ａに含まれるゴキブリの図柄よりも小さいサイズに構成されている。このような構成のため、構成例１では、フィルム２０において第一層２１を剥離すると、広告情報２３Ａに含まれるゴキブリの図柄が消失するとともに、広告情報２３Ｂに含まれるゴキブリの図柄及び水玉柄が出現することになる。ここで、広告情報２３Ｂに含まれるゴキブリの図柄は、十分に小さく周囲の水玉柄と調和したものとなっている。このため、室内では第一層２１を除去しておくことで、ゴキブリの図柄による嫌悪感を消費者に与え難く、受け入れ易いデザインとなる。
【００３７】
エアゾール缶１０に印刷されている図柄等表示情報１２には、ゴキブリの図柄は含まれておらず、代わりに図柄（ジグザグ状の幾何学模様）の他に、フィルム２０の第一層２１及び第二層２２に印刷されている広告情報２３Ａ及び２３Ｂに含まれる文字と同様の文字（製造者情報）が含まれている。ここで、図柄等表示情報１２に含まれる文字は、広告情報２３Ａ及び２３Ｂに含まれる文字よりも小さく構成されている。このような構成のため、構成例１では、エアゾール缶１０からフィルム２０を剥離した場合、図柄等表示情報１２に含まれる文字があまり目立たず、殺虫エアゾール製品のデザイン性を損なうことがない。従って、消費者は、好みや室内空間の雰囲気に応じてフィルム２０の第一層２１を剥離したり、フィルム２０自体を剥離したりすることで様々なデザインを選択し、調和した環境で殺虫エアゾール製品を使用することができる。
【００３８】
また、フィルム２０の第一層２１において広告情報２３Ａが印刷されていない領域には、製品表示情報２７Ａが印刷されており、第二層２２において広告情報２３Ｂが印刷されていない領域には、製品表示情報２７Ｂが印刷されている。製品表示情報２７は、エアゾール缶１０に印刷されている製品表示情報１１と同様である。構成例１では、フィルム２０の第一層２１に広告情報２３Ａと製品表示情報２７Ａとが印刷されているため、製品の販売時にエアゾール缶１０の全体がフィルム２０で覆われていても、広告情報２３Ａにより消費者の注目を惹くことができるとともに、製品表示情報２７Ａについても視認することができる。室内での製品の保管時や使用時においては、消費者は、好みや室内空間の雰囲気に応じてフィルム２０の第一層２１を剥離することで第二層２２のデザインを選択したり、フィルム２０自体を剥離することでエアゾール缶１０のデザインを選択したりすることができる。その際、第二層２２に製品表示情報２７Ｂが印刷され、エアゾール缶１０に製品表示情報１１が印刷されているため、どのデザインを選択した場合にも何れかの製品表示情報を、常に表示しておくことができる。
【００３９】
〔構成例２〕
図４は、構成例２に係る殺虫エアゾール製品の側面の分解展開図である。構成例２では、フィルム２０の第一層２１に印刷されている広告情報２３Ａには、害虫であるゴキブリの図柄、並びに商品名及び製造者情報が含まれている。フィルム２０の第二層２２に印刷されている広告情報２３Ｂには、第一層２１よりも小さいゴキブリの図柄及び水玉柄の模様、並びに商品名及び製造者情報が含まれている。容器本体であるエアゾール缶１０に印刷されている図柄等表示情報１２には、ゴキブリの図柄は含まれておらず、代わりにストライプ柄の落ち着いた模様が含まれている。構成例２では、エアゾール缶１０からフィルム２０を剥離すると、広告情報２３Ａ及び２３Ｂに含まれるゴキブリの図柄が消失するとともに、図柄等表示情報１２に含まれるストライプ柄が出現することで、落ち着いた雰囲気を醸し出すことができる。従って、消費者は、製品表示情報が表示された状態のまま、好みや室内空間の雰囲気に応じてフィルム２０を剥離し、調和した環境で殺虫エアゾール製品を使用することができる。
【００４０】
〔構成例３〕
図５は、構成例３に係る殺虫エアゾール製品の側面の分解展開図である。構成例３では、フィルム２０の第一層２１に印刷されている広告情報２３Ａには、ゴキブリの図柄、並びに商品名及び製造者情報が含まれている。フィルム２０の第二層２２に印刷されている広告情報２３Ｂには、ゴキブリの図柄及び水玉柄の模様、並びに商品名及び製造者情報が含まれている。エアゾール缶１０に印刷されている図柄等表示情報１２には、ゴキブリの図柄及び水玉柄の模様、並びに製造者情報が含まれている。ここで、広告情報２３Ｂに含まれるゴキブリの図柄は、広告情報２３Ａに含まれるゴキブリの図柄よりも視認性を抑えるために、広告情報２３Ａに含まれるゴキブリの図柄よりも小さいサイズに構成されている。さらに、図柄等表示情報１２に含まれるゴキブリの図柄は、広告情報２３Ｂに含まれるゴキブリの図柄よりもさらに視認性を抑えるために、広告情報２３Ｂに含まれるゴキブリの図柄よりも小さいサイズに構成されている。このような構成のため、構成例３では、フィルム２０において第一層２１を剥離すると、広告情報２３Ａに含まれるゴキブリの図柄が消失するとともに、広告情報２３Ｂに含まれる小さいサイズのゴキブリの図柄及び水玉柄が出現することになり、さらに、フィルム２０自体を剥離すると、広告情報２３Ｂに含まれるゴキブリの図柄が消失するとともに、図柄等表示情報１２に含まれるさらに小さいサイズのゴキブリの図柄及び水玉柄が出現することになる。従って、消費者は、好みや室内空間の雰囲気に応じてフィルム２０の第一層２１やフィルム２０自体を剥離し、嫌悪感を抱くことなく受け入れ易いサイズのゴキブリの図柄が表示されたデザインを選択することができる。
【００４１】
〔構成例４〕
図６は、構成例４に係る殺虫エアゾール製品の側面の分解展開図である。構成例４では、フィルム２０の第一層２１に印刷されている広告情報２３Ａには、ゴキブリの図柄、並びに商品名及び製造者情報が含まれている。フィルム２０の第二層２２に印刷されている広告情報２３Ｂには、ゴキブリの図柄は含まれておらず、商品名及び製造者情報が含まれている。エアゾール缶１０に印刷されている図柄等表示情報１２には、ゴキブリの図柄は含まれておらず、代わりに図柄（ジグザグ状の幾何学模様）の他に、フィルム２０の第一層２１及び第二層２２に印刷されている広告情報２３Ａ及び２３Ｂに含まれる文字と同様の文字（製造者情報）が含まれている。このような構成のため、構成例４では、フィルム２０において第一層２１を剥離すると、広告情報２３Ａに含まれるゴキブリの図柄が消失するとともに、広告情報２３Ｂに含まれる商品名が出現することで、消費者はゴキブリの図柄により嫌悪感を抱くことなく、室内での製品の保管時や使用時に商品名を容易に確認できるデザインを選択することができる。さらに、フィルム２０自体を剥離すると、図柄等表示情報１２に含まれるジグザグ状の幾何学模様が出現することで、よりデザイン性の高い調和した環境で殺虫エアゾール製品を使用することができる。
【００４２】
〔構成例５〕
図７は、構成例５に係る殺虫エアゾール製品の側面の分解展開図である。構成例５では、フィルム２０は、表層となる第一層２１と、第一層２１よりもエアゾール缶１０側に配された内側層となる第二層２２、及び第三層２８とを有する。第二層２２には、第二層２２を剥離させるためのタブ部２９、及びミシン目３０が形成されており、第三層２８には、第三層２８を剥離させるためのタブ部３１、及びミシン目３２が形成されている。第二層２２のタブ部２９は、第一層２１のタブ部２５の形成位置からエアゾール缶１０の周方向にずらした位置に形成されている。これにより、消費者が第一層２１を剥離させるためにタブ部２５を摘まむときに、誤ってタブ部２５とタブ部２９とを一緒に摘まんで第二層２２まで剥離してしまうことを防ぐことができる。第三層２８のタブ部３１も同様に、消費者が第二層２２を剥離させるときに誤ってタブ部２９とタブ部３１とを摘まんで第三層２８まで剥離してしまうことを防ぐために、第二層２２のタブ部２９の形成位置からエアゾール缶１０の周方向にずらした位置に形成されている。フィルム２０の第一層２１に印刷されている広告情報２３Ａには、害虫であるゴキブリの図柄、並びに商品名及び製造者情報が含まれている。フィルム２０の第二層２２に印刷されている広告情報２３Ｂには、ゴキブリの図柄及び水玉柄の模様、並びに商品名及び製造者情報が含まれている。ここで、広告情報２３Ｂに含まれるゴキブリの図柄は、広告情報２３Ａに含まれるゴキブリの図柄よりも視認性を抑えるために、広告情報２３Ａに含まれるゴキブリの図柄よりも小さいサイズに構成されている。フィルム２０の第三層２８に印刷されている広告情報２３Ｃには、ゴキブリの図柄は含まれておらず、図柄（ジグザグ状の幾何学模様）、並びに商品名及び製造者情報が含まれている。容器本体であるエアゾール缶１０に印刷されている図柄等表示情報１２には、ゴキブリの図柄は含まれておらず、ストライプ柄の落ち着いた模様が含まれている。このような構成のため、構成例５では、フィルム２０において第一層２１を剥離すると、広告情報２３Ａに含まれるゴキブリの図柄が消失するとともに、広告情報２３Ｂに含まれるゴキブリの図柄及び水玉柄が出現することになる。ここで、広告情報２３Ｂに含まれるゴキブリの図柄は、十分に小さく周囲の水玉柄と調和したものとなっている。このため、室内では第一層２１を除去しておくことで、ゴキブリの図柄による嫌悪感を消費者に与え難く、受け入れ易いデザインとなる。さらに、構成例５では、フィルム２０において第二層２２を剥離したり、エアゾール缶１０からフィルム２０自体を剥離したりすると、広告情報２３Ａ及び２３Ｂに含まれるゴキブリの図柄が消失するとともに、広告情報２３Ｃに含まれるジグザグ状の幾何学模様や、図柄等表示情報１２に含まれるストライプ柄が出現することになる。従って、消費者は、好みや室内空間の雰囲気に応じてフィルム２０の各層やフィルム２０自体を剥離し、様々なデザインで殺虫エアゾール製品を使用することができる。
【００４３】
第一層２１において広告情報２３Ａが印刷されていない領域、第二層２２において広告情報２３Ｂが印刷されていない領域、及び第三層２８において広告情報２３Ｃが印刷されていない領域は、透明ないし半透明な透過領域２４Ａ、２４Ｂ、及び２４Ｃとして形成されている。透過領域２４Ａ、２４Ｂ、及び２４Ｃは、エアゾール缶１０の表面がフィルム２０で被覆されている状態で、当該フィルム２０を通してエアゾール缶１０側に印刷されている製品表示情報１１を視認できる位置に設けられる。透過領域２４Ａ、２４Ｂ、及び２４Ｃは、エアゾール缶１０の製品表示情報１１が印刷されている領域よりも大きく構成することも可能である。例えば、図７において、透過領域２４Ａの幅Ｄ１、透過領域２４Ｂの幅Ｄ２、及び透過領域２４Ｃの幅Ｄ４を、エアゾール缶１０の製品表示情報１１の幅Ｄ３より若干大きく構成すると、エアゾール缶１０をフィルム２０で被覆するときに多少の位置ずれが生じても、エアゾール缶１０側の製品表示情報１１を透過領域２４Ａ、２４Ｂ、及び２４Ｃを介して確実に視認することができる。また、透過領域２４Ａの幅Ｄ１、透過領域２４Ｂの幅Ｄ２、透過領域２４Ｃの幅Ｄ４、製品表示情報１１の幅Ｄ３を、この順で小さくなるように構成しても構わない。
【００４４】
＜別実施形態＞
本発明の容器入り製品は、消費者の好みや室内空間の雰囲気に合わせて多様な製品のデザインを選択できるという本発明の趣旨を逸脱しない限り、様々な改変が可能である。以下、そのような改変例を別実施形態として説明する。
【００４５】
〔別実施形態１〕
容器入り製品１００において、フィルム２０は、四層以上の層を有するように構成してもよい。フィルム２０が四層以上の層を有することで、各層に異なる広告情報を印刷し、さらに多様なデザインを選択可能なものとすることができる。
【００４６】
〔別実施形態２〕
容器入り製品１００において、フィルム２０は、第一層２１と第二層２２との間に再剥離可能な粘着層を有するように構成してもよい。第一層２１と第二層２２との間に再剥離可能な粘着層を形成することで、フィルム２０において第一層２１を容易に剥離可能でありながら、第一層２１と第二層２２とのずれを防止して、販売時や室内での保管時又は使用時に第一層２１の透過領域２４Ａと第二層２２の透過領域２４Ｂとを通してエアゾール缶１０側に印刷されている製品表示情報１１を確実に視認することができる。
【００４７】
〔別実施形態３〕
容器入り製品１００において、フィルム２０の透過領域２４Ａ及び２４Ｂは、透明ないし半透明に構成することで製品表示情報１１を視認可能とするものであるが、製品表示情報１１の視認性を妨げない程度であれば文字や図柄が印刷されていてもよい。例えば、透過領域２４Ａや２４Ｂに製品のロット番号を小さく印字しておけば、透過領域２４Ａ及び２４Ｂから視認できる製品表示情報１１には製造者情報が含まれているため、製造者への問い合わせが容易なものとなる。
【００４８】
〔別実施形態４〕
容器入り製品１００において、フィルム２０の透過領域２４Ａ及び２４Ｂには、肉眼では見えないが赤外線等で読み取り可能な文字や図柄等の情報を印刷しておくことも可能である。この場合、製品の出荷前の検査等に当該情報を利用することができる。
【００４９】
〔別実施形態５〕
容器入り製品１００において、フィルム２０の透過領域２４Ａ及び２４Ｂは、当該フィルム２０の一部を取り除いたものであってもよい。すなわち、容器本体１０の製品表示情報１１が露出した状態とすることも可能である。この場合、消費者は製品表示情報１１を確実に視認することができる。また、フィルム２０が取り除かれた部分に僅かな段差が生じるため、この段差に爪を掛けてフィルム２０を取り外し易くなる。
【００５０】
〔別実施形態６〕
容器入り製品１００において、フィルム２０の広告情報２３Ａ及び２３Ｂは、容器本体１０の図柄等表示情報１２と重なった状態で当該図柄等表示情報１２と合わせて広告機能を発揮するように構成することも可能である。例えば、容器入り製品１００がハチ用の殺虫エアゾールである場合、図柄等表示情報１２が花柄を含み、広告情報２３Ａ及び２３Ｂを透明な領域の中にハチの図柄を印刷したものとすれば、容器本体１０がフィルム２０で被覆されている状態ではハチが花畑を飛び回っているかのようなイラストとなって消費者の注目を惹くこととなり、容器本体１０からフィルム２０を剥離すると花柄のみとなって落ち着いた雰囲気を醸し出すことができる。
【産業上の利用可能性】
【００５１】
本発明は、容器に害虫防除製剤を封入したエアゾール製品、スプレー製品、ボトル製品、缶製品などの容器入り製品に利用可能である。
【符号の説明】
【００５２】
１０                        エアゾール缶（容器本体）
１１                        製品表示情報
２０                        フィルム
２１                        第一層（表層）
２２                        第二層（内側層）
２３Ａ、２３Ｂ、２３Ｃ      広告情報
２４Ａ、２４Ｂ、２４Ｃ      透過領域
２５                        タブ部
２７Ａ、２７Ｂ、２７Ｃ      製品表示情報
２８                        第三層（内側層）
１００                      殺虫エアゾール製品（容器入り製品）
【図１】
2020075740.tif 000003
【図２】
2020075740.tif 000004
【図３】
2020075740.tif 000005
【図４】
2020075740.tif 000006
【図５】
2020075740.tif 000007
【図６】
2020075740.tif 000008
【図７】
2020075740.tif 000009